(57)【要約】      （修正有）【課題】弾性紐状体が用いられる画材収納容器における弾性紐状体の取付け容易性、脱落防止性及び取付け構造の耐久性に優れる、簡単な構成の画材収納容器を提供する。【解決手段】蓋部１４の被せられた容器本体部１２に弾性紐状体１８を巻回することで蓋部１４の脱落を防止する構成を有する画材収納容器１０において、係止部１６は、弾性紐状体１８の伸長方向に並設され、容器本体部の底面から外方に突出した第１と第２の一対の突起部を有し、各突起部は、巻回された弾性紐状体１８を挟んだそれぞれ反対側の位置で容器本体部の底面から外方に立ち上がる立ち上がり部と、立ち上がり部の上端から巻回された弾性紐状体１８を越えてそれぞれ伸長する天板部と、天板部の伸長方向の端部から底面方向にそれぞれ屈曲し、先端が弾性紐状体１８の通過可能な距離だけ底面から離反した位置に在る爪部と、を有し、第１と第２の突起部の互いに対向する面は、巻回された弾性紐状体１８の伸長方向に対して傾斜した面を構成している。【選択図】図１
0003218717.tif 000002
【実用新案登録請求の範囲】
【請求項１】
画材が収納される容器本体部と、
該容器本体部に被せられる蓋部と、
前記容器本体部に前記蓋部を被せた状態で、該容器本体部及び蓋部に外側から巻回されて前記蓋部の脱落を防止する環状で伸縮可能な弾性紐状体と、
前記容器本体部の底面に設けられ前記巻回された弾性紐状体が係止される係止部と、を有する画材収納容器において、
前記係止部は、
前記巻回された弾性紐状体の伸長方向に並設され、前記容器本体部の底面から外方に突出した第１と第２の一対の突起部を有し、
前記各突起部は、
前記巻回された弾性紐状体を挟んだそれぞれ反対側の位置で前記容器本体部の底面から外方に立ち上がる立ち上がり部と、
該各立ち上がり部の上端から前記巻回された前記弾性紐状体を越えて伸長する天板部と、
該各天板部の前記伸長方向の端部から前記底面方向に屈曲し、先端が前記弾性紐状体の通過可能な距離だけ前記底面から離反した位置に在る爪部と、を有し、
前記第１と第２の突起部の互いに対向する面は、前記巻回された弾性紐状体の伸長方向に対して傾斜した面を構成し、且つ少なくとも前記弾性紐状体が通過可能な間隔だけ離反していることを特徴とする画材収納容器。
【請求項２】
前記第１と第２の突起部の前記爪部は、
前記先端が角のない丸みを帯びた形状の案内部として形成されたことを特徴とする請求項１に記載の画材収納容器。
【請求項３】
前記係止部は、
前記容器本体部の底面の前記巻回された弾性紐状体の伸長方向の両端部近傍及び略中央部の３箇所に設けられたことを特徴とする請求項１又は２に記載の画材収納容器。
【請求項４】
前記第１と第２の突起部の前記天板部及び爪部が対向する前記容器本体部の底面には、開口部が形成されたことを特徴とする請求項１〜３の何れか１項に記載の画材収納容器。
【考案の詳細な説明】
【技術分野】
【０００１】
本考案は、クレヨン等の画材を収納する画材収納容器に関する。
【背景技術】
【０００２】
クレヨンやパステル等の画材を収納する画材収納容器は、複数本の画材を並べて収納するトレー状の容器本体部に蓋部を開閉可能に被せる構成になっている。これを使用する際に蓋部の開閉の容易性、及び閉塞した状態での蓋部の脱落防止のために、蓋部を被せた容器本体部に弾性紐状体を巻回して、容易に蓋部が外れないように構成されている。
【０００３】
この状況において、上記弾性紐状体が容易に容器本体部から外れないようにすることが望ましい。図８は、引用文献１に開示されている画材収納容器５０に係り、容器本体部５２の平面図を示す。画材収納容器５０は、容器本体部５２の２箇所の特定の収納部５２ａに凹陥部５２ｂが形成され、その凹陥部５２ｂに貫通孔５２ｃが形成されている。
【０００４】
弾性紐（弾性紐状体）５４の両端には凹陥部５２ｂに嵌合するフック５６が取り付けられ、フック５６及び弾性紐５４は、貫通孔５２ｃを通過できる大きさになっている。凹陥部５２ｂにフック５６が嵌合すると、このフック５６の外側面と他の収納部５２ａの外側面の高さは同じになるように構成されている。弾性紐５４は、凹陥部５２ｂに嵌合したフック５６により容器本体部５２に係止されている。これにより弾性紐５４によって、蓋部をしっかり止めておくことに加え、弾性紐５４が容易に外れないようになっている。
【０００５】
図９は、特許文献２に開示されている画材収納容器６０に係り、容器本体部６２の底面の斜視図を示す。画材収納容器６０は、容器本体部６２の底面に環状の弾性紐状体６６を係止する支持構造部（係止部）６８が３箇所に形成されている。支持構造部（係止部）６８は、第１の保持部７０、第２の保持部７２及び第３の保持部７４を有する。第１の保持部７０で弾性体（弾性紐状体）６６が保持される。
【０００６】
環状の弾性体（弾性紐状体）６６を支持構造部６８に取り付ける場合、弾性体（弾性紐状体）６６を第３の保持部７４で一旦係止させ、第２の保持部７２を経由して第１の保持部７０に移動させる。弾性体（弾性紐状体）６６を取り外す場合は、逆の手順を行えば良い。これにより、蓋部６４をしっかり止めておくことに加え、弾性体（弾性紐状体）６６が容易に外れないようになっている。
【先行技術文献】
【特許文献】
【０００７】
【特許文献１】特開２０１６−６０５１８号公報
【特許文献２】特許第５０８７３４０号公報
【考案の概要】
【考案が解決しようとする課題】
【０００８】
特許文献１の画材収納容器５０は、長年の使用によりフック５６と弾性紐５４が分離する恐れや、更に、フック５６と凹陥部５２ｂとの嵌合が甘くなり、フック５６が外れてしまう恐れがある。
【０００９】
また、特許文献２の画材収納容器６０は、弾性体（弾性紐状体）６６の支持構造部６８へ取り付けは比較的容易に行うことができるが、取り付け後に弾性体(弾性紐状体)６６に、第１の保持部７０から第３の保持部７４の方向へ横移動する力が加えられ、第２の保持部７２の突起部の下を弾性体（弾性紐状体）６６が通過する状況になった場合には、弾性体（弾性紐状体）６６が支持構造部６８から外れる恐れがある。
【００１０】
本考案は、上記課題に鑑みてなされたものであり、その目的は、蓋部の脱落防止のために弾性紐状体が用いられる画材収納容器における弾性紐状体の取付け容易性、脱落防止性及び取付け構造の耐久性に優れる、簡単な構成の画材収納容器を提供することにある。
【課題を解決するための手段】
【００１１】
上記目的を達成するため、請求項１に記載の画材収納容器は、
画材が収納される容器本体部と、該容器本体部に被せられる蓋部と、前記容器本体部に前記蓋部を被せた状態で、該容器本体部及び蓋部に外側から巻回されて前記蓋部の脱落を防止する環状で伸縮可能な弾性紐状体と、前記容器本体部の底面に設けられ前記巻回された伸縮可能な弾性紐状体が係止される係止部と、を有する画材収納容器において、
前記係止部は、前記巻回された弾性紐状体の伸長方向に並設され、前記容器本体部の底面から外方に突出した第１と第２の一対の突起部を有し、前記各突起部は、前記巻回された弾性紐状体を挟んだそれぞれ反対側の位置で前記容器本体部の底面から外方に立ち上がる立ち上がり部と、該各立ち上がり部の上端から前記巻回された前記弾性紐状体を越えて伸長する天板部と、該各天板部の前記伸長方向の端部から前記底面方向に屈曲し、先端が前記弾性紐状体の通過可能な距離だけ前記底面から離反した位置に在る爪部と、を有し、前記第１と第２の突起部の互いに対向する面は、前記巻回された弾性紐状体の伸長方向に対して傾斜した面を構成し、且つ少なくとも前記弾性紐状体が通過可能な間隔だけ離反していることを特徴とする。
【００１２】
この構成によれば、弾性紐状体の係止部への取り付けは、第１の突起部と第２の突起部の対向する面間、すなわち、巻回された弾性紐状体の伸長方向に対して傾斜している隙間に対し、巻回されている弾性紐状体をその傾斜に合わせて角度付けして押し下げ、その状態から元の弾性紐状体の伸長方向に角度を戻す動作をすることで、弾性紐状体は上記爪部の先端の下を通り、保持位置に収まる。すなわち、弾性紐状体は、立ち上がり部と天板部と爪部の内側面に囲まれた状態で収まり、容易には外れない状態となる。
【００１３】
例えば、環状の弾性紐状体を係止部、すなわち一対の突起部に保持されている上記の状態からそのまま弾性紐状体の巻き回し方向と直交する方向（横方向）に引張り動作をしても、必ずどちらかの立ち上がり部に引っ掛かる。すなわち、弾性紐状体を斜めに傾斜させない限り、弾性紐状体は係止部から外れることはない。
【００１４】
したがって、弾性紐状体が何か他の物に引っ掛かって横方向に移動したとしても係止部から外れることはなく、両手を使って傾斜（斜めに角度付け）させない限り弾性紐状体を係止部から外すことはできない。したがって、使用する子供が偶然にそのような取り外しの手順を踏むことはないので、環状の弾性紐状体は係止部に取り付けられた後、係止部から不意に外れることが確実に防止され、蓋部が開いてクレヨン等がこぼれ落ちる恐れはない。
【００１５】
請求項２に記載の画材収納容器は、請求項１に記載の画材収納容器において、
前記第１と第２の突起部の前記爪部は、前記先端が角のない丸みを帯びた形状の案内部として形成されたことを特徴とする。
【００１６】
この構成により、弾性紐状体を突起部に取り付ける場合、上述のように巻回された弾性紐状体を、爪部の下側を通す動作を行うが、爪部の先端の案内部の存在により、この弾性紐状体の取り付けを円滑に行うことができる。
【００１７】
請求項３に記載の画材収納容器は、請求項１又は２に記載の画材収納容器において、
前記係止部は、前記容器本体部の底面の前記巻回された弾性紐状体の伸長方向の両端部近傍及び略中央部の３箇所に設けられたことを特徴とする。
【００１８】
この構成により、弾性紐状体は伸長方向の３箇所で係止されるので、弾性紐状体は係止部に取り付けられた後、係止部から外れることがより確実に防止され、蓋部が開いてクレヨン等がこぼれ落ちる恐れはない。
【００１９】
請求項４に記載の画材収納容器は、請求項１〜３の何れか１項に記載の画材収納容器において、
前記第１と第２の突起部の前記天板部及び爪部が対向する前記容器本体部の底面には、開口部が形成されたことを特徴とする。
【００２０】
この構成により、容器本体部に係止部を形成する場合、一対の突起部の天板部及び爪部が対向する容器本体部の底面に開口部が形成されているので、一つの成形型を用いて容器本体部と係止部を同時に一体形成することが可能となる。したがって、本発明の構成に係る画材収納容器の製造容易化が図られる。
【考案の効果】
【００２１】
本考案の画材収納容器によれば、蓋部の被せられた容器本体部に弾性紐状体を巻回することで蓋部の脱落を防止する構成を有する画材収納容器において、弾性紐状体の係止動作の容易性を維持しつつ、係止状態の維持を確実に行うことが可能となっている。また、簡単な構造であり、耐久性にも優れている。
【図面の簡単な説明】
【００２２】
【図１】本考案の画材収納容器に係り、容器本体部の底面の斜視図である。
【図２】本考案の画材収納容器の係止部の斜視図である。ただし、容器本体部の底面側から見た図である。
【図３】本考案の画材収納容器の係止部の斜視図である。ただし、容器本体部の収納面側から見た図である。
【図４】本考案の画材収納容器の係止部の平面図である。ただし、容器本体部の底面側から見た図である。
【図５】本考案の画材収納容器の係止部の平面図である。ただし、容器本体部の収納面側から見た図である。
【図６】図４のＡ−Ａ断面図である。
【図７】図４のＢ−Ｂ断面図である。
【図８】特許文献１の画材収納容器に係り、容器本体部の平面図である。
【図９】特許文献２の画材収納容器の支持構造部（係止部）の斜視図である。ただし、容器本体部の底面側から見た図である。
【考案を実施するための形態】
【００２３】
図１は、本考案の画材収納容器１０に係り、容器本体部１２の底面１３の斜視図である。１６本のパステルがそれぞれ収納部１２ａに収納可能な容器本体部１２に蓋部１４が被せられている。環状で伸縮可能な弾性紐状体（ゴム紐、ゴム輪等）１８が係止部１６で係止（保持）され、収容本体部１２と蓋部１４を巻回している。蓋部１４は、この環状の弾性紐状体１８の緊張力で固定されている。係止部１６は、容器本体部１２の底面１３の長手方向の両端部近傍と略中央部の合計３箇所に形成されている。
【００２４】
図２、図３は、係止部１６の斜視図である。ただし、図２は、容器本体部１２の底面側から、図３は、容器本体部１２の収納面側から見た図である。図４は、図２の係止部を容器本体部の底面側から見た平面図、図５は、図３の係止部を収納面側から見た平面図である。図６は、図４のＡ−Ａ断面図、図７は、図４のＢ−Ｂ断面図である。
【００２５】
係止部１６は、巻回された弾性紐状体１８の伸長方向に並設され、容器本体部１２の底面１３から外方に突出した一対の突起部、すなわち、第１の突起部２０と第２の突起部３０を有する。
【００２６】
第１の突起部２０及び第２の突起部３０は、容器本体部１２の底面１３の巻回された弾性紐状体１８を挟んだそれぞれ反対側の位置で外方に立ち上がる第１の立ち上がり部２２及び第２の立ち上がり部３２を有する。そして、第１の立ち上がり部２２及び第２の立ち上がり部３２の上端から巻回された弾性紐状体１８を越えてそれぞれ伸長する第１の天板部２４及び第２の天板部３４を有する。更に、この第１の天板部２４及び第２の天板部３４の伸長方向の端部から容器本体部１２の底面１３方向にそれぞれ屈曲し、先端が弾性紐状体１８の通過可能な距離だけ底面１３から離反した位置に在る第１の爪部２６及び第２の爪部３６を有する。
【００２７】
すなわち、本実施の形態の画材収納容器１０の係止部１６は、第１の突起部２０と第２の突起部３０を有し、弾性紐状体１８の伸長方向に直交する方向において、第１の突起部２０の立ち上がり部２２及び第１の爪部２６と、第２の突起部３０の第２の立ち上がり部３２及び第２の爪部３６は、互いに逆の位置関係を有する。
【００２８】
第１の突起部２０と第２の突起部３０の互いに対向する面は、巻回された弾性紐状体１８の伸長方向に対して略４５度傾斜した面を構成し、且つ少なくとも弾性紐状体１８が通過可能な間隔Ｌだけ離反している。
【００２９】
上記の互いに対向する面は、第１の立ち上がり部２２、第１の天板部２４及び第１の爪部２６と、第２の立ち上がり部３２、第２の天板部３４及び第２の爪部３６との対向する面であり、この面は環状の弾性紐状体１８の伸長方向に対して略４５°の角度を有する。且つ、それらの対向する面間の間隔Ｌは、少なくとも環状の弾性紐状体１８が通過可能となっている。本実施の形態では、この隙間の空間を案内空間４０と定義している。
【００３０】
第１の突起部２０の第１の天板部２４と第１の爪部２６、及び第２の突起部３０の第２の天板部３４と第２の爪部３６が対向する容器本体部１２の底面１３には、開口部４２が形成されている。開口部４２の形状は、第１の立ち上がり部２２の弾性紐状体１８の伸長方向の基部の長さを底辺とする第１の略台形と、第２の立ち上がり部３２の弾性紐状体１８の伸長方向の基部の長さを底辺とする第２の略台形とを、台形の上辺と底辺を逆にして合わせた形状になっており、開口縁部４２ａ〜４２ｈを形成している。
【００３１】
環状の弾性紐状体１８は、第１の立ち上がり部２２、第１の天板部２４、第１の爪部２６の内側面に囲まれた空間、及び第２の立ち上がり部３２、第２の天板部３４、第１の爪部３６の内側面に囲まれた空間に収容（保持）され、容易には外れない状態となる。本実施の形態では、この空間を保持空間４８と定義している。
【００３２】
図４、図５の平面図において、第１の突起部２０の第１の爪部２６と開口縁部４２ｂとの間、及び第２の突起部３０の第２の爪部３６と開口縁部４２ｆとの間は、環状紐状体１８の第１の突起部２０と第２の突起部３０による係止を解除するための空間を形成している。本実施の形態では、これらの空間を第１の離脱空間２８、第２の離脱空間３８と定義している。
【００３３】
なお、本実施の形態では、開口部４２を底面１３に形成したが、開口部４２が底面１３に形成されていなくとも、弾性紐状体１８を係止部１６に係止することは可能である。この開口部４２は、一つの成形型で、容器本体部１２と係止部１６を同時に一体形成することを可能とするために主として設けられている。この開口部４２により、画材収納容器１０の製造容易化が図られる。
【００３４】
また、第１の爪部２６及び第２の爪部３６において、それぞれの先端は角のない丸みを帯びた形状の案内部４４、４６として形成されている。案内部４４は、第１の突起部２０と第２の突起部３０の互いに対向する面側に、それぞれの爪部の角部を平面に削って構成され、その平面は爪部の突起方向に対して略４５度の角度を為すものになっている。これにより、弾性紐状体１８を案内部４４に沿って角度付けし、保持空間４８へ誘導し易くなっている。
【００３５】
更に、第１の爪部２６及び第２の爪部３６において、案内部４４が形成された面側と反対側の面の角部は、丸め加工がそれぞれ施されている。弾性紐状体１８を突起部の爪部２６、３６の下をくぐらせて略４５度回転させ、弾性紐状体１８を案内空間４０の下部に位置させる場合に、爪部２６、３６に施された丸め加工部４６により弾性紐状体１８の爪部２６、４６への無用な引っ掛かりが無くなり、弾性紐状体１８の係止部１６からの取り外しを行うことがスムーズになる。
【００３６】
環状の弾性紐状体１８を係止部１６に取り付けるには、まず弾性紐状体１８を、第１の突起部２０と第２の突起部３０の間の案内空間４０に位置させるため略４５度角度付けする。そして、案内空間４０内で、弾性紐状体１８を容器本体部１２の底面１３に押し下げる。次いで、弾性紐状体１８を、並設された第１の突起部２０と第２の突起部３０の中間点を中心として上記の角度付けした角度を戻す動作を行う。このようにして、弾性紐状体１８を、第１の爪部２６と開口縁部４２ｂとの間、及び第２の爪部３６と開口縁部４２ｆとの間、すなわち、第１の離脱空間２８及び第２の離脱空間３８を通して、保持空間４８に位置させることができる。
【００３７】
環状の弾性紐状体１８を係止部１６から取り外すには、保持空間４８内で弾性紐状体１８を容器本体部１２の底面側に押し下げ、第１の爪部２６の先端及び第２の爪部３６の先端の下側に位置させる。そして、弾性紐状体１８を、並設された第１の突起部２０と第２の突起部３０の中間点を中心として略４５度回転させ（角度付けし）、第１の爪部２６と開口縁部４２ｂとの間、及び第２の爪部３６と開口縁部４２ｆとの間、すなわち、第１の離脱空間２８及び第２の離脱空間３８を通して弾性紐状体１８を保持空間４８から離脱させる。そして、弾性紐状体１８を、第１の突起部２０と第２の突起部３０の間の案内空間４０から引き上げる。
【００３８】
弾性紐状体１８が係止部１６に係止され、保持空間４８に位置していれば、弾性紐状体１８は巻回方向と直交する方向（横方向）に移動させても、必ずどちらかの突起部の立ち上がり部にぶつかり、係止部１６から外れることはない。
【００３９】
すなわち、弾性紐状体を係止部１６から外すためには、必ず弾性紐状体１８を４５度傾斜させる（角度付けする）ことが必要である。したがって、使用する子供が偶然にそのような取り外しの手順を踏むことはないので、環状の弾性紐状体１８は係止部１６に取り付けられた後、係止部１６から外れることが確実に防止される。
【００４０】
本実施の形態の画材収納容器１０によれば、容器本体部１２と蓋部１４に巻回された環状の弾性紐状体１８は、立ち上がり部と爪部の位置関係が、弾性紐状体１８の伸長方向に直交する方向において互いに逆である２つの突起部２０、３０を有する係止部１６に係止(保持)される。更に、弾性紐状体１８を係止部１６に取り付け・取り外す場合は、第１の突起部２０と第２の突起部３０の対向する面による作られる案内空間４０を通過させるために、弾性紐状体１８を角度付けすることが必要である。
【００４１】
したがって、正しい手順を踏めば弾性紐状体１８を容易に係止部１６に取り付け及び取り外すことができる一方、弾性紐状体１８が係止部１６に取り付けられた状態では、使用する子供が偶然に取り外しの手順を踏むことはないので、弾性紐状体１８は係止部１６から容易に外れることが確実に防止され、蓋部１４が開いてクレヨン等の画材がこぼれ落ちる恐れはない。すなわち、弾性紐状体１８の係止動作の容易性を維持しつつ、係止状態の維持を確実に行うことが可能となっている。また、簡単な構造であり、耐久性にも優れている。
【００４２】
容器本体部１２に設けられた３つの係止部１６は、何れも同じ寸法、構造であり、ポリプロピレン、ポリスチレン、ポリエステル、ポリエチレン・ポリアセタール、ポリアミド、ポリ塩化ビニル、アクリル樹脂、ＡＳ樹脂、ＡＢＳ樹脂、フェノール樹脂、メラミン樹脂、ユリア樹脂等の合成樹脂材料で容器本体部１２と成形型にて一体に製作される。蓋部１４も同じ材料で製作される。
【００４３】
なお、本件考案は、上記実施の形態で述べた構成に限定されるものではなく、本件考案の要旨の範囲内で種々変更が可能である。例えば、第１の突起部２０と第２の突起部３０の互いに対向する面は、弾性紐状体１８の伸長方向に対して略４５度傾斜している例を示したが、４５度に限らない。また、本体収容部１２は、パステル等が１６本収納できるものを示したが、１６本に限らない。
【符号の説明】
【００４４】
１０、５０、６０  画材収納容器
１２、５２、６２  容器本体部
１３  底面
１４、６４  蓋部
１６  係止部
１８、６６  環状の弾性紐状体
２０  第１の突起部
２２  第１の立ち上がり部
２４  第１の天板部
２６  第１の爪部
２８  第１の離脱空間  
３０  第２の突起部
３２  第２の立ち上がり部
３４  第２の天板部
３６  第２の爪部
３８  第２の離脱空間  
４０  案内空間  
４２  開口部
４２ａ〜４２ｈ  開口縁部
４４、４６  案内部
４８  保持空間
５２ｂ  凹陥部
５２ｃ  貫通孔
５４  弾性紐
５６  フック
６８  支持構造部
７０  第１の保持部
７２  第２の保持部
７４  第３の保持部  
Ｌ  第１の突起部と第２の突起部の間隔  
【図１】
0003218717.tif 000003
【図２】
0003218717.tif 000004
【図３】
0003218717.tif 000005
【図４】
0003218717.tif 000006
【図５】
0003218717.tif 000007
【図６】
0003218717.tif 000008
【図７】
0003218717.tif 000009
【図８】
0003218717.tif 000010
【図９】
0003218717.tif 000011